(57)【要約】【課題】  簡素な構成であるけれども、エンドユーザが嗜好に合わせてストラップホルダを容易に取り外すことができるストラップ取付構造を提供する。【解決手段】  下ケーシング１のリアケース１ｂに取り付けられた雌ネジ部５と、雌ネジ部５に取り外し可能に取り付けられるストラップホルダ６とを有している。ストラップホルダ６は、雌ネジ部５に螺入可能な雄ネジ部６ａを備えている。【選択図】    図４
2008147762.tif 000002
【特許請求の範囲】
【請求項１】
携帯型電子機器のケーシングにストラップを装着するためのストラップ取付構造において、
前記ケーシングに取り付けられた雌ネジ部と、前記雌ネジ部に取り外し可能に取り付けられるストラップホルダとを有し、
前記ストラップホルダは、前記雌ネジ部に螺入可能な雄ネジ部を備えていることを特徴とするストラップ取付構造。
【請求項２】
前記雌ネジ部は、前記ケーシングを構成する部品のうちの１つの内部に埋め込まれている請求項１に記載のストラップ取付構造。
【請求項３】
前記雌ネジ部は、前記ケーシングを構成する部品のうちの１つの内部にインサート成形によって埋め込まれている請求項２に記載のストラップ取付構造。
【請求項４】
前記ストラップホルダは、前記雄ネジ部と一体に形成されたストラップを挿通するための孔部をさらに有し、
前記孔部は、前記ストラップホルダを前記雌ネジ部に螺入するための操作つまみとして機能する請求項１乃至３のいずれか１つに記載のストラップ取付構造。
【請求項５】
前記ケーシングは、第１のケーシングと、ヒンジ部を介して該第１のケーシングに開閉可能に取り付けられた第２のケーシングとを有し、
前記ストラップ取付構造は、前記ヒンジ部の付近に設けられている請求項１乃至４のいずれか１つに記載のストラップ取付構造。
【請求項６】
請求項１乃至５のいずれか１つに記載の前記ストラップ取付構造を有する携帯型電子機器。
【発明の詳細な説明】
【技術分野】
【０００１】
本発明は、携帯型電子機器のストラップ取付構造に関する。
【背景技術】
【０００２】
図１に示されるような携帯電話機等の携帯型電子機器には、ストラップが取り付けられることが多い。
【０００３】
図１に示された携帯電話機は、下ケーシング１と、下ケーシング１にヒンジ部３を介して開閉自在に取り付けられた上ケーシング２とを有している。尚、図１において、上下ケーシングは、閉じられた状態である。下ケーシング１は、フロントケース１ａと、リアケース１ｂとにより構成されている。
【０００４】
この携帯電話機はさらに、図２に示すように、フロントケース１ａとリアケース１ｂとの間に組み込まれたストラップホルダ７を有している。ストラップホルダ７には、孔部が形成されており、この孔部にストラップ（図示せず）が挿通される。
【０００５】
このようなストラップ取付構造においては、ストラップホルダがケース内に組み込まれるため、携帯電話機の組み立て工程中でしかストラップホルダを取り付けることができず、また、ストラップホルダを外すには携帯電話機を解体する必要があった。このため、ストラップホルダが不要なエンドユーザにも搭載され、また、カスタマイズも容易には行えなかった。
【０００６】
ところで、特許文献１には、ケースの外部からストラップホルダをネジを用いて固定するストラップ取付構造が開示されている。
【０００７】
また、特許文献２には、既設アンテナに代えて取り付け可能なアンテナ部と、このアンテナ部に対して着脱自在な装飾体と、アンテナ部に装飾体を固定するためのネジとを有し、このネジにストラップを挿通するための孔部が形成されている携帯電話機が開示されている。
【０００８】
【特許文献１】実開昭５８−１４８９７８号公報
【特許文献２】登録実用新案公報（実用新案登録第３０６４６６１号）
【発明の開示】
【発明が解決しようとする課題】
【０００９】
しかし、特許文献１に開示されたストラップ取付構造は、ストラップホルダをケースに固定するためのネジを必要としており、複雑な構成である。
【００１０】
また、特許文献２に開示された携帯電話機は、アンテナ部とこれに着脱自在の装飾体とを有することを基本構成として、孔部が形成されたネジは、あくまでも装飾体をアンテナ部に対して固定するための構造のバリエーションの一つであり、全体的に見ると、かなり複雑な構成である。
【００１１】
それ故、本発明の課題は、簡素な構成であるけれども、エンドユーザが嗜好に合わせてストラップホルダを容易に取り外すことができる携帯型電子機器のストラップ取付構造を提供することである。
【００１２】
本発明の他の課題は、上記のようなストラップ取付構造を有する携帯型電子機器を提供することである。
【課題を解決するための手段】
【００１３】
本発明によれば、携帯型電子機器のケーシングにストラップを装着するためのストラップ取付構造において、前記ケーシングに取り付けられた雌ネジ部と、前記雌ネジ部に取り外し可能に取り付けられるストラップホルダとを有し、前記ストラップホルダは、前記雌ネジ部に螺入可能な雄ネジ部を備えていることを特徴とするストラップ取付構造が得られる。
【００１４】
前記雌ネジ部は、前記ケーシングを構成する部品のうちの１つの内部に埋め込まれていてもよい。
【００１５】
前記雌ネジ部は、前記ケーシングを構成する部品のうちの１つの内部にインサート成形によって埋め込まれていてもよい。
【００１６】
前記ストラップホルダは、前記雄ネジ部と一体に形成されたストラップを挿通するための孔部をさらに有し、前記孔部は、前記ストラップホルダを前記雌ネジ部に螺入するための操作つまみとして機能するものであってもよい。
【００１７】
前記ケーシングは、第１のケーシングと、ヒンジ部を介して該第１のケーシングに開閉可能に取り付けられた第２のケーシングとを有し、前記ストラップ取付構造は、前記ヒンジ部の付近に設けられていてもよい。
【００１８】
本発明によればまた、前記ストラップ取付構造を有する携帯型電子機器が得られる。
【発明の効果】
【００１９】
本発明による携帯型電子機器のストラップ取付構造は、簡素な構成であるけれども、エンドユーザが嗜好に合わせてストラップホルダを容易に取り外しできる。
【００２０】
より具体的には、簡素な構成であるけれども、携帯型電子機器を組み立てた後にストラップホルダを取り付け可能であり、ストラップホルダを組み替えたい場合に、携帯型電子機器の製造、販売サイドに預けて解体する必要が無く、エンドユーザ本人が手軽に交換可能である。
【００２１】
さらに、雌ネジ部が携帯型電子機器のケーシングを構成する部品のうちの単一部品内にインサート成形で埋め込まれることにより、ケーシングを密閉構造とすれば、水分や塵が雌ネジ部を経てケーシング内に浸入することがなく、携帯型電子機器の防水性や防塵性が十分に確保される。
【００２２】
携帯型電子機器のケーシングが折り畳み式である場合にストラップ取付構造をヒンジ付近に設けることにより、ケーシングを開いたり、閉じたりした、どちらの状態であっても、ストラップを介した携帯型電子機器の携行に際して安定感がある。
【発明を実施するための最良の形態】
【００２３】
本発明によるストラップ取付構造は、携帯型電子機器のケーシングに取り付けられた雌ネジ部と、雌ネジ部に取り外し可能に取り付けられるストラップホルダとを有している。ストラップホルダは、雌ネジ部に螺入可能な雄ネジ部を備えている。
【００２４】
このため、ストラップホルダをケーシングに取り付けるために別途ネジ等を使用する必要のない簡素な構成でありながらも、組み立てが完成したケーシングに対して、エンドユーザ等が容易に装着したり、取り外しを行うことができる。
【００２５】
尚、雌ネジ部は、ケーシングを構成する部品のうちの１つの内部に埋め込まれていてもよい。雌ネジ部は、ケーシングを構成する部品のうちの１つの内部にインサート成形によって埋め込まれていてもよい。
【００２６】
また、ストラップホルダは、雄ネジ部と一体に形成されたストラップを挿通するための孔部をさらに有し、孔部は、ストラップホルダを雌ネジ部に螺入するための操作つまみとして機能するものであってもよい。
【００２７】
さらに、ケーシングは、第１のケーシングと、ヒンジ部を介して第１のケーシングに開閉可能に取り付けられた第２のケーシングとを有し、ストラップ取付構造は、ヒンジ部の付近に設けられていてもよい。
【００２８】
また、本発明による携帯型電子機器は、上記のようなストラップ取付構造を有している。
【実施例】
【００２９】
以下、図面を参照して、本発明の実施例によるストラップ取付構造ならびに本ストラップ取付構造が適用された携帯電話機について説明する。
【００３０】
図３を参照すると、本ストラップ取付構造が適用された携帯型電子機器としての携帯電話機は、図２に示された従来の携帯電話機と同様に、第１のケーシングとしての下ケーシング１と、下ケーシング１にヒンジ部３を介して開閉自在に取り付けられた第２のケーシングとしての上ケーシング２とを有している。尚、図３において、上下ケーシングは、閉じられた状態である。下ケーシング１は、いずれも樹脂製のフロントケース１ａと、リアケース１ｂとにより構成されている。
【００３１】
本発明においては特に、ヒンジ部３の側面に、ストラップ取付構造４を有している。図４を併せ参照すると、ストラップ取付構造４は、インサート成形によって下ケーシングのリアケース１ｂに埋設された雌ネジ部５と、雌ネジ部５に対して螺入し得るストラップホルダ６とを有している。
【００３２】
ストラップホルダ６は、雌ネジ部５に螺入可能な雄ネジ部６ａと、雄ネジ部６ａと一体に形成され、ストラップ（図示せず）を挿通させるための孔部６ｂとを有している。
【００３３】
本携帯電話機のユーザが孔部６ｂを操作つまみとして指で摘んで回し、雄ネジ部６ａを雌ネジ部５に螺入することで、ストラップホルダ６は、携帯電話機に固定される。
【００３４】
本ストラップ取付構造は、このように簡素な構成であるけれども、携帯電話機を組み立てた後にストラップホルダを取り付け可能であり、ストラップホルダを組み替えたい場合に、携帯電話機の製造、販売サイドに預けて解体する必要が無く、エンドユーザ本人が手軽に交換可能である。
【００３５】
尚、本発明において雌ネジ部は、インサート成形によってケーシングに埋設されずとも、ケーシングに確実に取り付けられていればよい。また、ケーシングを構成する部品のうちの単一部品に埋設されていなくともよい。ただし、雌ネジ部が本例のごとく本携帯電話機のケーシングを構成する一部品（本例では、リアケース）に埋設されているため、ケーシングを密閉構造とすれば、水分や塵が雌ネジ部を経てケーシング内に浸入することがなく、携帯型電子機器の防水性や防塵性が十分に確保される。
【００３６】
また、本発明によるストラップ取付構造が携帯型電子機器のケーシングのどの位置に設けられてもよいが、本例のごとく、折り畳み式である場合にストラップ取付構造をヒンジ付近に設けることにより、ケーシングを開いたり、閉じたりした、どちらの状態であっても、ストラップを介した携帯型電子機器の携行に際して安定感がある。
【００３７】
次に、図５（ａ）および（ｂ）を参照して、本発明によるストラップ取付構造の変形例について説明する。本ストラップ取付構造において、ストラップホルダは、図３に示されたストラップホルダ６に限定されるものではなく、次のようなストラップホルダ類であってもよい。
【００３８】
図５（ａ）に示されたストラップホルダ６’は、ストラップを多数付けたいエンドユーザ向きか、あるいは、装着部が大きいストラップを装着するのに適した仕様であり、孔部を大きくすることで、ストラップホルダ６よりも多くのストラップを装着したり、装着部が大きいストラップを装着することを可能にしている。
【００３９】
図５（ｂ）に示された目隠しピース６”は、ストラップホルダが不要なエンドユーザ向きの仕様であり、ストラップホルダの無いシンプルな形状を提供可能である。尚、目隠しピース６”には、コインあるいはドライバやレンチに適合するビットが形成されていることが望ましく、これにより、コインあるいはドライバ等を用いて雌ネジ部５に対して螺入可能である。また、目隠しピースは本例ではストラップホルダ６や６’と同様に雄ネジ部を有しているが、ゴムまたは弾性を有する樹脂材料で雌ネジ部の孔よりも若干太く構成することにより、圧入により装着するようにしてもよい。
【産業上の利用可能性】
【００４０】
以上説明した実施例に限定されることなく、本発明は、当該特許請求の範囲に記載された技術範囲内であれば、種々の変形が可能であることは云うまでもない。
【図面の簡単な説明】
【００４１】
【図１】従来のストラップ取付構造が適用された携帯電話機を示す斜視図である。
【図２】従来のストラップ取付構造を示す部分的な断面図である。
【図３】本発明によるストラップ取付構造が適用された携帯電話機を示す斜視図である。
【図４】本発明の実施例によるストラップ取付構造を示す部分的な断面図である。
【図５】（ａ）および（ｂ）は、本発明の実施例によるストラップ取付構造の変形例を示す斜視図である。
【符号の説明】
【００４２】
１    下ケーシング
１ａ  フロントケース
１ｂ  リアケース
２    上ケーシング
３    ヒンジ部
４    ストラップ取付構造
５    雌ネジ部
６、６’、７  ストラップホルダ
６”  目隠しピース
６ａ  雄ネジ部
６ｂ  孔部
【図１】
2008147762.tif 000003
【図２】
2008147762.tif 000004
【図３】
2008147762.tif 000005
【図４】
2008147762.tif 000006
【図５】
2008147762.tif 000007